(57)【要約】【課題】本発明は空間利用率を上げるスーツケースを開示した。【解決手段】ケース主体を含み、前記ケース主体の下側端面には中心対称の四つのキャスターが回転できるように連結され、前記ケース主体の中には上方へ開口した凹溝が設置され、前記凹溝の底端内壁にはスライド溝が連通するように設置され、前記スライド溝の中には伸縮装置がスライドできるように連結され、前記ケース主体の中には前記凹溝の左端に位置しており、且つ前方へ開口した収容チャンバが設置され、前記収容チャンバの開口端を手動で閉じることができ、前記収容チャンバの上端には伝動チャンバが設置され、本発明は圧縮構造によりかさばる服の両側を押し、空間を節約し、同時に圧縮袋のサイズがスーツケースと合わなく、圧縮した後でスーツケースに入れにくい問題を避ける。【選択図】図１
2020182778.tif 000002
【特許請求の範囲】
【請求項１】
正面視で、ケース主体を含み、前記ケース主体の下側端面には中心対称の四つのキャスターが回転できるように連結され、前記ケース主体の中には上方へ開口した凹溝が設置され、前記凹溝の底端内壁にはスライド溝が連通するように設置され、前記スライド溝の中には伸縮装置がスライドできるように連結され、前記ケース主体の中には前記凹溝の左端に位置しており、且つ前方へ開口した収容チャンバが設置され、前記収容チャンバの開口端を手動で閉じることができ、前記収容チャンバの上端には伝動チャンバが設置され、前記伝動チャンバと前記収容チャンバとの間にはスライドレールが連通するように設置され、前記スライドレールには配列されたように分布している二つのスリーブがスライドできるように連結され、前記スリーブの中には選択装置が設置され、前記収容チャンバの底端内壁には前記選択装置と回転できるように連結された圧縮板がスライドできるように連結され、前記伝動チャンバの中には前記選択装置を制御する圧縮装置が設置され、
自身の需要に応じて前記選択装置を制御し、前記圧縮装置を始動して前記圧縮板を制御し、前記圧縮板が後方へ移動して服を圧縮し、圧縮し終わった後、前記伸縮装置を利用して前記ケース主体を移動させることを特徴とする空間利用率を上げるスーツケース。
【請求項２】
前記伸縮装置は前記スライド溝とスライドできるように連結されたプルドライブハンドルを含み、前記プルドライブハンドルの下端には左右対称の開口溝が設置され、前記開口溝の中には弾性により復帰できるロックロッドが回転できるように連結され、前記プルドライブハンドルの上端にはハンドルが固定的に連結され、前記ハンドルには取っ手がスライドできるように連結され、前記取っ手と前記ハンドルとの間には引っ張りバネが連結され、前記取っ手の下端末端には前記ロックロッドの下端に位置しており、且つ前記ロックロッドと当接している推しボールが設置され、前記スライド溝の中には左右対称の三組のロック溝が上から下へ等間隔で分布しており、前記ロック溝と前記ロックロッドとの間が当接しており、
前記ロック溝と前記ロックロッドとの当接関係を利用し、前記プルドライブハンドルの上方への移動の距離が段階的に変化することを実現することを特徴とする請求項１に記載の空間利用率を上げるスーツケース。
【請求項３】
前記選択装置は前記スリーブの下端とスライドできるように連結された回し輪を含み、前記回し輪の前側には阻みロッドが設置され、前記回し輪には前記圧縮板と回転できるように連結されたスプライン軸がスプラインにより連結され、前記スリーブには前後対称のスライドロッドがスライドできるように連結され、前記スライドロッドには前記スリーブの中に位置している当接板が設置され、前記当接板の中と前記スリーブとの間には抵抗バネが連結され、
スプラインの特性を利用し、前記回し輪が前記スプライン軸に沿ってスライドすることもでき、前記スプライン軸を回転させることもでき、連結状態の変化をすることを特徴とする請求項１に記載の空間利用率を上げるスーツケース。
【請求項４】
前記圧縮装置は前記伝動チャンバの内壁とスライドできるように連結された前後対称のスライダを含み、前側の前記スライダと前記伝動チャンバの前側内壁との間には復帰バネが連結され、前記スライダの上側端面にはプーリが回転できるように連結され、前記プーリには伝動軸が設置され、前記伝動軸の間には鋼線が連結され、前記伝動チャンバの頂端内壁の中には後端の前記伝動軸と動力が伝達できるように連結されたモータが嵌められ、前記スライダの中には左右対称のスライドチャンバが設置され、前記スライドチャンバの中には従動ブロックがスライドできるように連結され、前記従動ブロックのうち対称中心から離れている側と前記スライドチャンバのうち対称中心から離れている側の内壁との間には圧縮バネが連結され、前記従動ブロックにはチェーンロッドが回転できるように連結され、上下対称の前記チェーンロッドの間には短円柱がヒンジにより連結され、左右対称の前記チェーンロッドの間がヒンジにより連結され、前記短円柱の下端には連結枠が固定的に連結され、前記連結枠の中には前記スプライン軸とスプラインにより連結されたカムが回転できるように連結され、前記連結枠の中には前記スライドロッドと当接している上下対称のリミットブロックが設置され、
前記カムの直径の長さが変化することにより前記スライドロッドを推し動かして対称中心から離れている側へ移動させ、前記スライドロッドが前記リミットブロックと当接して前記選択装置を制限し、また前記選択装置を連動させて後方へ移動させることを特徴とする請求項１又は請求項３に記載の空間利用率を上げるスーツケース。
【発明の詳細な説明】
【技術分野】
【０００１】
本発明はカバン技術分野を取り上げて、具体的には空間利用率を上げるスーツケースである。
【背景技術】
【０００２】
一つのスーツケースの大きさが固定されたので、もっと多くの服を入れるために、一般的に真空圧縮袋を利用して衣類をコンパクトにまとめ、しかし、スーツケースに物を入れる時に必ず圧縮袋を携帯するわけではなく、しかも圧縮袋のサイズがスーツケースの内部の体積比例に合わないと入れられないかもしれなく、本発明が提出したスーツケースの内部が自己圧縮できる装置が上記の問題を効果的に解決できる。
【先行技術文献】
【特許文献】
【０００３】
【特許文献１】中国特許出願公開第１０１６３７３３０号明細書
【発明の概要】
【発明が解決しようとする課題】
【０００４】
本発明は空間利用率を上げるスーツケースを提供し、従来技術における上記欠点を解消することを目的とする。
【課題を解決するための手段】
【０００５】
本発明の空間利用率を上げるスーツケースは、ケース主体を含み、前記ケース主体の下側端面には中心対称の四つのキャスターが回転できるように連結され、前記ケース主体の中には上方へ開口した凹溝が設置され、前記凹溝の底端内壁にはスライド溝が連通するように設置され、前記スライド溝の中には伸縮装置がスライドできるように連結され、前記ケース主体の中には前記凹溝の左端に位置しており、且つ前方へ開口した収容チャンバが設置され、前記収容チャンバの開口端を手動で閉じることができ、前記収容チャンバの上端には伝動チャンバが設置され、前記伝動チャンバと前記収容チャンバとの間にはスライドレールが連通するように設置され、前記スライドレールには配列されたように分布している二つのスリーブがスライドできるように連結され、前記スリーブの中には選択装置が設置され、前記収容チャンバの底端内壁には前記選択装置と回転できるように連結された圧縮板がスライドできるように連結され、前記伝動チャンバの中には前記選択装置を制御する圧縮装置が設置され、
自身の需要に応じて前記選択装置を制御し、前記圧縮装置を始動して前記圧縮板を制御し、前記圧縮板が後方へ移動して服を圧縮し、圧縮し終わった後、前記伸縮装置を利用して前記ケース主体を移動させる。
【０００６】
好ましくは、前記伸縮装置は前記スライド溝とスライドできるように連結されたプルドライブハンドルを含み、前記プルドライブハンドルの下端には左右対称の開口溝が設置され、前記開口溝の中には弾性により復帰できるロックロッドが回転できるように連結され、前記プルドライブハンドルの上端にはハンドルが固定的に連結され、前記ハンドルには取っ手がスライドできるように連結され、前記取っ手と前記ハンドルとの間には引っ張りバネが連結され、前記取っ手の下端末端には前記ロックロッドの下端に位置しており、且つ前記ロックロッドと当接している推しボールが設置され、前記スライド溝の中には左右対称の三組のロック溝が上から下へ等間隔で分布しており、前記ロック溝と前記ロックロッドとの間が当接しており、
前記ロック溝と前記ロックロッドとの当接関係を利用し、前記プルドライブハンドルの上方への移動の距離が段階的に変化することを実現する。
【０００７】
好ましくは、前記選択装置は前記スリーブの下端とスライドできるように連結された回し輪を含み、前記回し輪の前側には阻みロッドが設置され、前記回し輪には前記圧縮板と回転できるように連結されたスプライン軸がスプラインにより連結され、前記スリーブには前後対称のスライドロッドがスライドできるように連結され、前記スライドロッドには前記スリーブの中に位置している当接板が設置され、前記当接板の中と前記スリーブとの間には抵抗バネが連結され、
スプラインの特性を利用し、前記回し輪が前記スプライン軸に沿ってスライドすることもでき、前記スプライン軸を回転させることもでき、連結状態の変化をする。
【０００８】
好ましくは、前記圧縮装置は前記伝動チャンバの内壁とスライドできるように連結された前後対称のスライダを含み、前側の前記スライダと前記伝動チャンバの前側内壁との間には復帰バネが連結され、前記スライダの上側端面にはプーリが回転できるように連結され、前記プーリには伝動軸が設置され、前記伝動軸の間には鋼線が連結され、前記伝動チャンバの頂端内壁の中には後端の前記伝動軸と動力が伝達できるように連結されたモータが嵌められ、前記スライダの中には左右対称のスライドチャンバが設置され、前記スライドチャンバの中には従動ブロックがスライドできるように連結され、前記従動ブロックのうち対称中心から離れている側と前記スライドチャンバのうち対称中心から離れている側の内壁との間には圧縮バネが連結され、前記従動ブロックにはチェーンロッドが回転できるように連結され、上下対称の前記チェーンロッドの間には短円柱がヒンジにより連結され、左右対称の前記チェーンロッドの間がヒンジにより連結され、前記短円柱の下端には連結枠が固定的に連結され、前記連結枠の中には前記スプライン軸とスプラインにより連結されたカムが回転できるように連結され、前記連結枠の中には前記スライドロッドと当接している上下対称のリミットブロックが設置され、
前記カムの直径の長さが変化することにより前記スライドロッドを推し動かして対称中心から離れている側へ移動させ、前記スライドロッドが前記リミットブロックと当接して前記選択装置を制限し、また前記選択装置を連動させて後方へ移動させる。
【発明の効果】
【０００９】
本発明の有益効果は：本発明はかさばる服の両側を押すことにより、空間を節約し、スーツケースの収納能力を向上させ、またこれは自身の調節変化であるので、圧縮袋等の装置を携帯する必要がなく、便利であり、同時に圧縮袋のサイズがスーツケースと合わなく、圧縮した後でスーツケースに入れにくい問題を避ける。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の空間利用率を上げるスーツケースの全体構成模式図
【図２】図２は図１の「Ａ−Ａ」の構成模式図
【図３】図３は図２の「Ｂ」の拡大構成模式図
【図４】図４は図２の「Ｃ−Ｃ」の構成模式図
【図５】図５は図３の「Ｄ−Ｄ」の構成模式図
【図６】図６は図５の「Ｅ」の拡大構成模式図
【発明を実施するための形態】
【００１２】
図１〜６を参照し、本発明の空間利用率を上げるスーツケースは、ケース主体１１を含み、前記ケース主体１１の下側端面には中心対称の四つのキャスター１９が回転できるように連結され、前記ケース主体１１の中には上方へ開口した凹溝１６が設置され、前記凹溝１６の底端内壁にはスライド溝１８が連通するように設置され、前記スライド溝１８の中には伸縮装置９０１がスライドできるように連結され、前記ケース主体１１の中には前記凹溝１６の左端に位置しており、且つ前方へ開口した収容チャンバ１２が設置され、前記収容チャンバ１２の開口端を手動で閉じることができ、前記収容チャンバ１２の上端には伝動チャンバ２４が設置され、前記伝動チャンバ２４と前記収容チャンバ１２との間にはスライドレール２３が連通するように設置され、前記スライドレール２３には配列されたように分布している二つのスリーブ３６がスライドできるように連結され、前記スリーブ３６の中には選択装置９０２が設置され、前記収容チャンバ１２の底端内壁には前記選択装置９０２と回転できるように連結された圧縮板２０がスライドできるように連結され、前記伝動チャンバ２４の中には前記選択装置９０２を制御する圧縮装置９０３が設置され、
自身の需要に応じて前記選択装置９０２を制御し、前記圧縮装置９０３を始動して前記圧縮板２０を制御し、前記圧縮板２０が後方へ移動して服を圧縮し、圧縮し終わった後、前記伸縮装置９０１を利用して前記ケース主体１１を移動させる。
【００１３】
有益的には、前記伸縮装置９０１は前記スライド溝１８とスライドできるように連結されたプルドライブハンドル１７を含み、前記プルドライブハンドル１７の下端には左右対称の開口溝４９が設置され、前記開口溝４９の中には弾性により復帰できるロックロッド４３が回転できるように連結され、前記プルドライブハンドル１７の上端にはハンドル１５が固定的に連結され、前記ハンドル１５には取っ手１３がスライドできるように連結され、前記取っ手１３と前記ハンドル１５との間には引っ張りバネ１４が連結され、前記取っ手１３の下端末端には前記ロックロッド４３の下端に位置しており、且つ前記ロックロッド４３と当接している推しボール４８が設置され、前記スライド溝１８の中には左右対称の三組のロック溝４７が上から下へ等間隔で分布しており、前記ロック溝４７と前記ロックロッド４３との間が当接しており、
前記ロック溝４７と前記ロックロッド４３との当接関係を利用し、前記プルドライブハンドル１７の上方への移動の距離が段階的に変化することを実現する。
【００１４】
有益的には、前記選択装置９０２は前記スリーブ３６の下端とスライドできるように連結された回し輪３８を含み、前記回し輪３８の前側には阻みロッド３７が設置され、前記回し輪３８には前記圧縮板２０と回転できるように連結されたスプライン軸２１がスプラインにより連結され、前記スリーブ３６には前後対称のスライドロッド４２がスライドできるように連結され、前記スライドロッド４２には前記スリーブ３６の中に位置している当接板４０が設置され、前記当接板４０の中と前記スリーブ３６との間には抵抗バネ４１が連結され、
スプラインの特性を利用し、前記回し輪３８が前記スプライン軸２１に沿ってスライドすることもでき、前記スプライン軸２１を回転させることもでき、連結状態の変化をする。
【００１５】
有益的には、前記圧縮装置９０３は前記伝動チャンバ２４の内壁とスライドできるように連結された前後対称のスライダ３４を含み、前側の前記スライダ３４と前記伝動チャンバ２４の前側内壁との間には復帰バネ３５が連結され、前記スライダ３４の上側端面にはプーリ２８が回転できるように連結され、前記プーリ２８には伝動軸２９が設置され、前記伝動軸２９の間には鋼線３１が連結され、前記伝動チャンバ２４の頂端内壁の中には後端の前記伝動軸２９と動力が伝達できるように連結されたモータ３０が嵌められ、前記スライダ３４の中には左右対称のスライドチャンバ４５が設置され、前記スライドチャンバ４５の中には従動ブロック４６がスライドできるように連結され、前記従動ブロック４６のうち対称中心から離れている側と前記スライドチャンバ４５のうち対称中心から離れている側の内壁との間には圧縮バネ４４が連結され、前記従動ブロック４６にはチェーンロッド３２が回転できるように連結され、上下対称の前記チェーンロッド３２の間には短円柱３３がヒンジにより連結され、左右対称の前記チェーンロッド３２の間がヒンジにより連結され、前記短円柱３３の下端には連結枠２７が固定的に連結され、前記連結枠２７の中には前記スプライン軸２１とスプラインにより連結されたカム３９が回転できるように連結され、前記連結枠２７の中には前記スライドロッド４２と当接している上下対称のリミットブロック２６が設置され、
前記カム３９の直径の長さが変化することにより前記スライドロッド４２を推し動かして対称中心から離れている側へ移動させ、前記スライドロッド４２が前記リミットブロック２６と当接して前記選択装置９０２を制限し、また前記選択装置９０２を連動させて後方へ移動させる。
【００１６】
物を入れる時、収容チャンバ１２を開け、かさばる服を後方から前方へ置き、阻みロッド３７を引き動かして上方へ移動させ、これによりスプライン軸２１がカム３９と当接し、この時、阻みロッド３７を反時計回りに半周回転させ、回し輪３８とスプライン軸２１によりカム３９を連動させて同期回転させ、カム３９が自身の直径の長さの変化によりスライドロッド４２を推し動かして対称中心から離れている側へ移動させ、これによりスライドロッド４２がリミットブロック２６と当接し、自分の需要により、一つ又は二つの阻みロッド３７を回転させることを選択し、そして、モータ３０を始動して前記伝動軸２９により前記プーリ２８を連動させて回転させ、プーリ２８が鋼線３１により前側のスライダ３４を引き動かして後方へ移動させ、この時、従動ブロック４６がスライドチャンバ４５の中でスライドすることにより、短円柱３３の間の距離を変え、動力が当接関係により順に短円柱３３と、連結枠２７と、リミットブロック２６と、スライドロッド４２と、スリーブ３６と、回し輪３８と、スプライン軸２１とに伝達され、最後に圧縮板２０を引き動かして後方へ移動させ、服を圧縮する。
【００１７】
移動する時、収容チャンバ１２を閉鎖し、まず取っ手１３を引き動かして上方へ移動させ、推しボール４８によりロックロッド４３を推し動かして反転させ、これによりロック溝４７との当接から離脱し、この時、プルドライブハンドル１７全体を引き動かして自分の高さに適するまで上方へ移動させ、取っ手１３を放して引っ張りバネ１４の弾性復元力により取っ手１３が下方へ移動し、この時、ロックロッド４３が再びロック溝４７と当接する。
【００１８】
本発明の有益効果は：本発明はかさばる服の両側を押すことにより、空間を節約し、スーツケースの収納能力を向上させ、またこれは自身の調節変化であるので、圧縮袋等の装置を携帯する必要がなく、便利であり、同時に圧縮袋のサイズがスーツケースと合わなく、圧縮した後でスーツケースに入れにくい問題を避ける。
【００１９】
以上の方式により、本分野の技術者が本発明の範囲内に作動モードにより各種な変化をすることができる。
【図１】
2020182778.tif 000003
【図２】
2020182778.tif 000004
【図３】
2020182778.tif 000005
【図４】
2020182778.tif 000006
【図５】
2020182778.tif 000007
【図６】
2020182778.tif 000008
【手続補正書】
【提出日】令和2年1月10日(2020.1.10)
【手続補正１】
【補正対象書類名】特許請求の範囲
【補正対象項目名】請求項４
【補正方法】変更
【補正の内容】
【請求項４】
前記圧縮装置は前記伝動チャンバの内壁とスライドできるように連結された前後対称のスライダを含み、前側の前記スライダと前記伝動チャンバの前側内壁との間には復帰バネが連結され、前記スライダの上側端面にはプーリが回転できるように連結され、前記プーリには伝動軸が設置され、前記伝動軸の間には鋼線が連結され、前記伝動チャンバの頂端内壁の中には後端の前記伝動軸と動力が伝達できるように連結されたモータが嵌められ、前記スライダの中には左右対称のスライドチャンバが設置され、前記スライドチャンバの中には従動ブロックがスライドできるように連結され、前記従動ブロックのうち対称中心から離れている側と前記スライドチャンバのうち対称中心から離れている側の内壁との間には圧縮バネが連結され、前記従動ブロックにはチェーンロッドが回転できるように連結され、上下対称の前記チェーンロッドの間には短円柱がヒンジにより連結され、左右対称の前記チェーンロッドの間がヒンジにより連結され、前記短円柱の下端には連結枠が固定的に連結され、前記連結枠の中には前記スプライン軸とスプラインにより連結されたカムが回転できるように連結され、前記連結枠の中には前記スライドロッドと当接している上下対称のリミットブロックが設置され、
前記カムの直径の長さが変化することにより前記スライドロッドを推し動かして対称中心から離れている側へ移動させ、前記スライドロッドが前記リミットブロックと当接して前記選択装置を制限し、また前記選択装置を連動させて後方へ移動させることを特徴とする請求項３に記載の空間利用率を上げるスーツケース。
【手続補正２】
【補正対象書類名】明細書
【補正対象項目名】全文
【補正方法】変更
【補正の内容】
【発明の詳細な説明】
【技術分野】
【０００１】
本発明はカバン技術分野を取り上げて、具体的には空間利用率を上げるスーツケースである。
【背景技術】
【０００２】
一つのスーツケースの大きさが固定されたので、もっと多くの服を入れるために、一般的に真空圧縮袋を利用して衣類をコンパクトにまとめ、しかし、スーツケースに物を入れる時に必ず圧縮袋を携帯するわけではなく、しかも圧縮袋のサイズがスーツケースの内部の体積比例に合わないと入れられないかもしれなく、本発明が提出したスーツケースの内部が自己圧縮できる装置が上記の問題を効果的に解決できる。
【先行技術文献】
【特許文献】
【０００３】
【特許文献１】中国特許出願公開第１０１６３７３３０号明細書
【発明の概要】
【発明が解決しようとする課題】
【０００４】
本発明は空間利用率を上げるスーツケースを提供し、従来技術における上記欠点を解消することを目的とする。
【課題を解決するための手段】
【０００５】
本発明の空間利用率を上げるスーツケースは、ケース主体を含み、前記ケース主体の下側端面には中心対称の四つのキャスターが回転できるように連結され、前記ケース主体の中には上方へ開口した凹溝が設置され、前記凹溝の底端内壁にはスライド溝が連通するように設置され、前記スライド溝の中には伸縮装置がスライドできるように連結され、前記ケース主体の中には前記凹溝の左端に位置しており、且つ前方へ開口した収容チャンバが設置され、前記収容チャンバの開口端を手動で閉じることができ、前記収容チャンバの上端には伝動チャンバが設置され、前記伝動チャンバと前記収容チャンバとの間にはスライドレールが連通するように設置され、前記スライドレールには配列されたように分布している二つのスリーブがスライドできるように連結され、前記スリーブの中には選択装置が設置され、前記収容チャンバの底端内壁には前記選択装置と回転できるように連結された圧縮板がスライドできるように連結され、前記伝動チャンバの中には前記選択装置を制御する圧縮装置が設置され、
自身の需要に応じて前記選択装置を制御し、前記圧縮装置を始動して前記圧縮板を制御し、前記圧縮板が後方へ移動して服を圧縮し、圧縮し終わった後、前記伸縮装置を利用して前記ケース主体を移動させる。
【０００６】
好ましくは、前記伸縮装置は前記スライド溝とスライドできるように連結されたプルドライブハンドルを含み、前記プルドライブハンドルの下端には左右対称の開口溝が設置され、前記開口溝の中には弾性により復帰できるロックロッドが回転できるように連結され、前記プルドライブハンドルの上端にはハンドルが固定的に連結され、前記ハンドルには取っ手がスライドできるように連結され、前記取っ手と前記ハンドルとの間には引っ張りバネが連結され、前記取っ手の下端末端には前記ロックロッドの下端に位置しており、且つ前記ロックロッドと当接している推しボールが設置され、前記スライド溝の中には左右対称の三組のロック溝が上から下へ等間隔で分布しており、前記ロック溝と前記ロックロッドとの間が当接しており、
前記ロック溝と前記ロックロッドとの当接関係を利用し、前記プルドライブハンドルの上方への移動の距離が段階的に変化することを実現する。
【０００７】
好ましくは、前記選択装置は前記スリーブの下端とスライドできるように連結された回し輪を含み、前記回し輪の前側には阻みロッドが設置され、前記回し輪には前記圧縮板と回転できるように連結されたスプライン軸がスプラインにより連結され、前記スリーブには前後対称のスライドロッドがスライドできるように連結され、前記スライドロッドには前記スリーブの中に位置している当接板が設置され、前記当接板の中と前記スリーブとの間には抵抗バネが連結され、
スプラインの特性を利用し、前記回し輪が前記スプライン軸に沿ってスライドすることもでき、前記スプライン軸を回転させることもでき、連結状態の変化をする。
【０００８】
好ましくは、前記圧縮装置は前記伝動チャンバの内壁とスライドできるように連結された前後対称のスライダを含み、前側の前記スライダと前記伝動チャンバの前側内壁との間には復帰バネが連結され、前記スライダの上側端面にはプーリが回転できるように連結され、前記プーリには伝動軸が設置され、前記伝動軸の間には鋼線が連結され、前記伝動チャンバの頂端内壁の中には後端の前記伝動軸と動力が伝達できるように連結されたモータが嵌められ、前記スライダの中には左右対称のスライドチャンバが設置され、前記スライドチャンバの中には従動ブロックがスライドできるように連結され、前記従動ブロックのうち対称中心から離れている側と前記スライドチャンバのうち対称中心から離れている側の内壁との間には圧縮バネが連結され、前記従動ブロックにはチェーンロッドが回転できるように連結され、上下対称の前記チェーンロッドの間には短円柱がヒンジにより連結され、左右対称の前記チェーンロッドの間がヒンジにより連結され、前記短円柱の下端には連結枠が固定的に連結され、前記連結枠の中には前記スプライン軸とスプラインにより連結されたカムが回転できるように連結され、前記連結枠の中には前記スライドロッドと当接している上下対称のリミットブロックが設置され、
前記カムの直径の長さが変化することにより前記スライドロッドを推し動かして対称中心から離れている側へ移動させ、前記スライドロッドが前記リミットブロックと当接して前記選択装置を制限し、また前記選択装置を連動させて後方へ移動させる。
【発明の効果】
【０００９】
本発明の有益効果は：本発明はかさばる服の両側を押すことにより、空間を節約し、スーツケースの収納能力を向上させ、またこれは自身の調節変化であるので、圧縮袋等の装置を携帯する必要がなく、便利であり、同時に圧縮袋のサイズがスーツケースと合わなく、圧縮した後でスーツケースに入れにくい問題を避ける。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の空間利用率を上げるスーツケースの全体構成模式図
【図２】図２は図１の「Ａ−Ａ」の構成模式図
【図３】図３は図２の「Ｂ」の拡大構成模式図
【図４】図４は図２の「Ｃ−Ｃ」の構成模式図
【図５】図５は図２の「Ｄ−Ｄ」の構成模式図
【図６】図６は図１の「Ｅ」の拡大構成模式図
【発明を実施するための形態】
【００１２】
図１〜６を参照し、本発明の空間利用率を上げるスーツケースは、ケース主体１１を含み、前記ケース主体１１の下側端面には中心対称の四つのキャスター１９が回転できるように連結され、前記ケース主体１１の中には上方へ開口した凹溝１６が設置され、前記凹溝１６の底端内壁にはスライド溝１８が連通するように設置され、前記スライド溝１８の中には伸縮装置９０１がスライドできるように連結され、前記ケース主体１１の中には前記凹溝１６の左端に位置しており、且つ前方へ開口した収容チャンバ１２が設置され、前記収容チャンバ１２の開口端を手動で閉じることができ、前記収容チャンバ１２の上端には伝動チャンバ２４が設置され、前記伝動チャンバ２４と前記収容チャンバ１２との間にはスライドレール２３が連通するように設置され、前記スライドレール２３には配列されたように分布している二つのスリーブ３６がスライドできるように連結され、前記スリーブ３６の中には選択装置９０２が設置され、前記収容チャンバ１２の底端内壁には前記選択装置９０２と回転できるように連結された圧縮板２０がスライドできるように連結され、前記伝動チャンバ２４の中には前記選択装置９０２を制御する圧縮装置９０３が設置され、
自身の需要に応じて前記選択装置９０２を制御し、前記圧縮装置９０３を始動して前記圧縮板２０を制御し、前記圧縮板２０が後方へ移動して服を圧縮し、圧縮し終わった後、前記伸縮装置９０１を利用して前記ケース主体１１を移動させる。
【００１３】
有益的には、前記伸縮装置９０１は前記スライド溝１８とスライドできるように連結されたプルドライブハンドル１７を含み、前記プルドライブハンドル１７の下端には左右対称の開口溝４９が設置され、前記開口溝４９の中には弾性により復帰できるロックロッド４３が回転できるように連結され、前記プルドライブハンドル１７の上端にはハンドル１５が固定的に連結され、前記ハンドル１５には取っ手１３がスライドできるように連結され、前記取っ手１３と前記ハンドル１５との間には引っ張りバネ１４が連結され、前記取っ手１３の下端末端には前記ロックロッド４３の下端に位置しており、且つ前記ロックロッド４３と当接している推しボール４８が設置され、前記スライド溝１８の中には左右対称の三組のロック溝４７が上から下へ等間隔で分布しており、前記ロック溝４７と前記ロックロッド４３との間が当接しており、
前記ロック溝４７と前記ロックロッド４３との当接関係を利用し、前記プルドライブハンドル１７の上方への移動の距離が段階的に変化することを実現する。
【００１４】
有益的には、前記選択装置９０２は前記スリーブ３６の下端とスライドできるように連結された回し輪３８を含み、前記回し輪３８の前側には阻みロッド３７が設置され、前記回し輪３８には前記圧縮板２０と回転できるように連結されたスプライン軸２１がスプラインにより連結され、前記スリーブ３６には前後対称のスライドロッド４２がスライドできるように連結され、前記スライドロッド４２には前記スリーブ３６の中に位置している当接板４０が設置され、前記当接板４０の中と前記スリーブ３６との間には抵抗バネ４１が連結され、
スプラインの特性を利用し、前記回し輪３８が前記スプライン軸２１に沿ってスライドすることもでき、前記スプライン軸２１を回転させることもでき、連結状態の変化をする。
【００１５】
有益的には、前記圧縮装置９０３は前記伝動チャンバ２４の内壁とスライドできるように連結された前後対称のスライダ３４を含み、前側の前記スライダ３４と前記伝動チャンバ２４の前側内壁との間には復帰バネ３５が連結され、前記スライダ３４の上側端面にはプーリ２８が回転できるように連結され、前記プーリ２８には伝動軸２９が設置され、前記伝動軸２９の間には鋼線３１が連結され、前記伝動チャンバ２４の頂端内壁の中には後端の前記伝動軸２９と動力が伝達できるように連結されたモータ３０が嵌められ、前記スライダ３４の中には左右対称のスライドチャンバ４５が設置され、前記スライドチャンバ４５の中には従動ブロック４６がスライドできるように連結され、前記従動ブロック４６のうち対称中心から離れている側と前記スライドチャンバ４５のうち対称中心から離れている側の内壁との間には圧縮バネ４４が連結され、前記従動ブロック４６にはチェーンロッド３２が回転できるように連結され、上下対称の前記チェーンロッド３２の間には短円柱３３がヒンジにより連結され、左右対称の前記チェーンロッド３２の間がヒンジにより連結され、前記短円柱３３の下端には連結枠２７が固定的に連結され、前記連結枠２７の中には前記スプライン軸２１とスプラインにより連結されたカム３９が回転できるように連結され、前記連結枠２７の中には前記スライドロッド４２と当接している上下対称のリミットブロック２６が設置され、
前記カム３９の直径の長さが変化することにより前記スライドロッド４２を推し動かして対称中心から離れている側へ移動させ、前記スライドロッド４２が前記リミットブロック２６と当接して前記選択装置９０２を制限し、また前記選択装置９０２を連動させて後方へ移動させる。
【００１６】
物を入れる時、収容チャンバ１２を開け、かさばる服を後方から前方へ置き、阻みロッド３７を引き動かして上方へ移動させ、これによりスプライン軸２１がカム３９と当接し、この時、阻みロッド３７を反時計回りに半周回転させ、回し輪３８とスプライン軸２１によりカム３９を連動させて同期回転させ、カム３９が自身の直径の長さの変化によりスライドロッド４２を推し動かして対称中心から離れている側へ移動させ、これによりスライドロッド４２がリミットブロック２６と当接し、自分の需要により、一つ又は二つの阻みロッド３７を回転させることを選択し、そして、モータ３０を始動して前記伝動軸２９により前記プーリ２８を連動させて回転させ、プーリ２８が鋼線３１により前側のスライダ３４を引き動かして後方へ移動させ、この時、従動ブロック４６がスライドチャンバ４５の中でスライドすることにより、短円柱３３の間の距離を変え、動力が当接関係により順に短円柱３３と、連結枠２７と、リミットブロック２６と、スライドロッド４２と、スリーブ３６と、回し輪３８と、スプライン軸２１とに伝達され、最後に圧縮板２０を引き動かして後方へ移動させ、服を圧縮する。
【００１７】
移動する時、収容チャンバ１２を閉鎖し、まず取っ手１３を引き動かして上方へ移動させ、推しボール４８によりロックロッド４３を推し動かして反転させ、これによりロック溝４７との当接から離脱し、この時、プルドライブハンドル１７全体を引き動かして自分の高さに適するまで上方へ移動させ、取っ手１３を放して引っ張りバネ１４の弾性復元力により取っ手１３が下方へ移動し、この時、ロックロッド４３が再びロック溝４７と当接する。
【００１８】
本発明の有益効果は：本発明はかさばる服の両側を押すことにより、空間を節約し、スーツケースの収納能力を向上させ、またこれは自身の調節変化であるので、圧縮袋等の装置を携帯する必要がなく、便利であり、同時に圧縮袋のサイズがスーツケースと合わなく、圧縮した後でスーツケースに入れにくい問題を避ける。
【００１９】
以上の方式により、本分野の技術者が本発明の範囲内に作動モードにより各種な変化をすることができる。